(57)【要約】【課題】  本考案は折からの健康ブ−ムのなかの足裏健康法を手をわずらわせることなくなだらかな突起を施行した中敷きを靴に敷いて歩行することで得る。【解決手段】  普段の歩行では圧迫されない指裏、土踏まず等々の足裏の引っ込んだ部分に当たるように中敷きになだらかな突起を施行することで、その部分の指圧効果を得て、歩行が心地よくなると同時に、普段の歩行では眠っていた身体のその指圧該当部分（目、耳、のど、血圧、僧帽筋、リンパ腺、すい臓、十二指腸等々）の活性化をうながして知らぬ間に健康維持にもつながっている。【選択図】図１
0003132941.tif 000002
【実用新案登録請求の範囲】
【請求項１】
靴底に敷くところの中敷きにおいて、主として足うらの凹部にあたるようになだらかな突起を数箇所設けることで、足うらの着地面積を増し、地を掴み且つ掻くような安定した力強い歩行感覚となり、同時に多くの指圧の効果が得られることを特徴とする健康中敷き。
【請求項２】
先ずその台座はヤシの繊維等で編んだものがよいが、他にも厚さが５ｍｍ位で骨性と弾力に富んだ多孔性の引っ張り強さを持ったシ−トであって、この上に施行するなだらかな突起はシリコンか、それに匹敵する固さ、弾力、そして耐久性があるものとする。
突起をつける部位は指うら凹部からこれに続く人指し指の付け根から中央部分を縦に土踏まずが始まる辺りまで、土踏まず、かかと中央部分、それに中敷きの周囲とする。（図１参照）その高さは歩行に支障を与えない高さとする。
【考案の詳細な説明】
【技術分野】
【０００１】  本考案は足裏への指圧の効果をいちいちの歩行によって満たそうとする中敷きに関するものである。
【背景技術】
【０００２】  広済堂ブックス「足のウラ刺激健康法」によれば足のウラには３０数種にも及ぶ指圧、刺激点があるということである。
特許文献、特開公２００５−２０５２０４，特開公２００３−３８２０５等に記載の中敷きは主に履き心地を追及しているもので健康指圧からの追及ではない。実用新案登録第３０７０３０６号はエア・クッションであって高価となる。
非特許参考文献・広済堂ブックス「足のウラ刺激健康法」五十嵐康彦著
【考案の開示】
【考案が解決しようとする課題】
【０００３】  最近は健康ブ−ムが盛んでその中の一つに足ウラ健康法がある。であるからこれを人の歩行によってそのおおまかな部分でも満なすことができれば手間も省けて相当な効果が期待できる。
それには靴の中敷きに突起を盛り上げることで、みずからの体重が圧点として作用する指圧効果が期待できると思った。そこで中敷きになだらかな突起を盛り上げることでおおまかではあるが、指圧の効果がおのずからの歩行で得られる。
よって日頃の歩行では圧迫されないところの凹部をめがけて突起を盛り上げて足裏の、ひいてはそこに繋がる身体の活性を引き出すこととした。
【課題を解決するための手段】
【０００４】  中敷きの材質は、天然のヤシ繊維で編んだものがよいが、これに代わるものとしては、多孔性の弾力があり、骨性があり、引っ張り強さがあり、粘着性がないものがよい。
市販のものとしては化学繊維を編んだシ−トを重ねたもので淵取りをしたところのこれらの要件を満たすものがある。
この中敷き材に足裏の凹部をめがけてなだらかな突起を盛り上げるのであるが、この盛り上げ材としては建築用のコ−キング材であるところの、いわゆるガンで施行するシリコンを使用した。弾性のある硬化をするまでに多少の時間がかかるが、思い通りに施行できる。硬化した後削り取ることもできる。
【考案の効果】
【０００５】  このように施行した中敷きは普段は圧迫がかからない足裏の凹部への圧迫であるので、足裏は勿論、その部位に関係する身体の部位をもこの中敷きを敷いた靴で歩行することで知らない間に活性化していることになる。この中敷きは淵の部分も僅かに高めているので指裏から土踏まずに至る凹部とかかとへとあわせるとおおまかに殆どの部分へおおまかな指圧効果が期待できる。圧迫と解放が交互になされることが効果をたかめると思われるし、靴を脱いだ時、或いは就寝中に目が覚めた時などにも心地よさが感じられる。
【考案を実施するための最良の形態】
【０００６】  中敷きは左右対象なので、裏返して左右を取り替えても又異なった感触で同じような指圧効果が得られることになる。靴には安全靴など固めの靴のはうが効果は大きいかと思われる。  中敷きが靴のなかでズレて圧迫箇所が一定しないことはかえって弊害となる。
【実施例】
【０００７】  中敷きそのものとしては天然の固めの繊維を編んで重ねたものがよいのであるが、固めの化学繊維を編んで重ねた通気性のよいものも市販されている。多孔性の弾力シ−トを使った時には孔の凹凸も足裏に伝わってくるのでそれなりに心地がよいのであるが、ゴム製の冷ややかなもの、湿気の吸収がよくないもの、骨性が乏しくて軟弱なもの、吸着性があるもの等を中敷きの材料として使うことは避けるべきである。
【産業上の利用可能性】
【０００８】  今日、台座シ−トはいろいろな種類のものがある。その中から適合するものを選んで、骨性が確かなシ−トに突起を盛り上げた後、これに他のシ−トを貼り合わせて異なった感触を楽しむことはできる。
【図面の簡単な説明】
【０００９】
【図１】は中敷きの平面図と横面図である。
【図２】はシ−トを貼り合わせる場合。
【符号の説明】
【００１０】  １．台座
２．指裏盛り上げ
３．人指し指つけ根から中央部分を縱に土踏まずが始まる辺りまでの盛り上げ
４．土踏まず盛り上げ
５．かかと盛り上げ
６．中敷き全周辺盛り上げ
７．上貼りシ−ト
８．下貼りシ−ト
【図１】
0003132941.tif 000003
【図２】
0003132941.tif 000004
【手続補正書】
【提出日】平成19年3月28日(2007.3.28)
【手続補正１】
【補正対象書類名】実用新案登録請求の範囲
【補正対象項目名】全文
【補正方法】変更
【補正の内容】
【実用新案登録請求の範囲】
【請求項１】
靴底に敷く中敷きであるが、台座シ−トを化学繊維で編んだもの４〜５枚を重ねて淵取りした通気性があるものとし、これに付ける五箇所のなだらかな突起はシリコン材とし、その部位は足裏凹部にあたる指裏、第二指の付け根から土踏まずまでの中心線と、土踏まずと、それにかかとの中央部分そして中敷きの全周辺部分とした指圧効果と安定歩行が得られることを特徴とする健康中敷き。
【手続補正２】
【補正対象書類名】明細書
【補正対象項目名】全文
【補正方法】変更
【補正の内容】
【考案の詳細な説明】
【技術分野】
【０００１】  本考案は足裏への指圧効果をいちいちの歩行によって満たそうとする中敷きに関するものである。
【背景技術】
【０００２】  広済堂ブックス「足ウラ刺激健康法」によれば足の裏には３０数種もの指圧刺激点があるということである。
特許文献、特開公２００５−２０５２０４，特開公２００３−３８２０５に記載の中敷きは主に履き心地を追及したものであり、実用新案登録３０７０３０６はエア・クッションであり高価となる。
【考案の開示】
【考案が解決しようとする課題】
【０００３】  最近は健康ブ−ムが盛んでその中の一つに足ウラ健康法がある。これを靴の中敷きになだらかな突起を付けることで指圧の効果を得ようとした。
人がこの中敷きをして歩くことで指圧の効果と歩行の安定性が得られる中敷きを制作することにした。
【課題を解決するための手段】
【０００４】  中敷きの台座シ−トは太めの化学繊維で編んだものを４〜５枚重ねて淵取りをした通気性が優れたものとなし、これにシリコン材でなだらかな突起を付ける。
突起を付ける部位は指裏、土踏まず、人指し指の付け根から土踏まずに至る中心線の足裏の凹部に当たる部分と、かかとの中央部分それに中敷き周辺部分である。
【考案の効果】
【０００５】  このように中敷きになだらかな突起を付けることで普通に歩くときには圧迫されない指裏、土踏まず、そして人指し指の付け根から土踏まずまでの中心線などへの圧迫効果はおおきい。
また足裏の着地面積が増えることで地を掻くような感じがして歩行が安定する。
かかとの部分と足裏周辺への指圧の効果はおおきい。
このようにしていちいちの歩行で知らないうちにそれらにつながる身体の活性が高まる。
【考案を実施するための最良の形態】
【０００６】  中敷きは左右対象なので裏返しても違った感じがする。
靴は安全靴のような固めのものがよく、中敷きが靴のなかでズレて圧迫箇所が一定しないと具合がよくない。
【実施例】
【０００７】  化学繊維を編んだものを４〜５枚重ねて淵取りをして通気性がよいものが中敷きそのものとしてはよい。
孔開きの弾力シ−トも心地よいが、ゴム製や、湿気吸収がよくないもの、軟弱なもの、吸着するものはよくない。
【産業上の利用可能性】
【０００８】  この中敷きに他のシ−トを貼って異なった感触を楽しむことはできる。
【図面の簡単な説明】
【０００９】
【図１】    図は中敷きの平面図と横からみた図である。
【符合の説明】
【００１０】  １，台座    ２，指裏のもりあげ    ３，人指し指の付け根から土踏まずまでの中心線のもりあげ。    ４，土踏まずのもりあげ。    ５，かかとのもりあげ。    ６，中敷き周辺のもりあげ。
【手続補正３】
【補正対象書類名】図面
【補正対象項目名】全図
【補正方法】変更
【補正の内容】
【図１】
0003132941.tif 000005